(57)【要約】【課題】特定子機で通話する利用者のみに特定親機の通話に関する操作を可能にする通話端末装置を提供することを目的とする。【解決手段】  まず初めに、ＣＰＵ１０１は、発呼、または着呼指示があったかどうかを判断し（Ｓ４００）、有ったと判断した場合（Ｓ４００：ＹＥＳ）、通話開始処理を実行する（Ｓ４０１）。ステップＳ４０１の処理の後、タッチ操作が有ったかどうかを判断する（Ｓ４０２）。タッチ操作があったと判断した場合（Ｓ４０２：ＹＥＳ）、通話に関する操作かどうかを判断する（Ｓ４０３）。通話に関する操作であると判断した場合（Ｓ４０３：ＹＥＳ）、電気信号を検知したかどうかを判断する（Ｓ４０４）。検知したと判断した場合（Ｓ４０４：ＹＥＳ）、次に、通話に関する操作に対応した処理を実行する（Ｓ４０５）。【選択図】図１０
2011217047.tif 000002
【特許請求の範囲】
【請求項１】
通信回線を介して通話相手装置と音声情報を送受信する通信手段を備えた親機と、
前記親機との間で前記音声情報および制御情報を無線で送受信する無線送受信手段を備えた子機と、を備えた通話端末装置に於いて、
前記親機は、
前記親機の前記通信手段の操作に関する操作情報、または前記通信手段以外の操作に関する操作情報の入力を取得する操作情報取得手段と、
前記操作情報取得手段により前記操作情報を取得したと判断した場合、前記子機を保持して前記親機を介して他の通話端末装置と通話している利用者から前記操作情報を取得したかどうかを判断する判断手段と、
前記判断手段により前記子機を保持して通話している利用者から前記通信手段の操作に関する前記操作情報を取得したと判断した場合、取得した前記操作情報に対応付けられている操作制御を実行する実行手段と、
を備えることを特徴とする通話端末装置。
【請求項２】
前記子機は、前記子機を保持した利用者の人体を介して電気信号を送信する電気信号送信手段を備え、
前記親機は、前記電気信号送信手段により送信された前記電気信号を、前記子機を保持した利用者の人体を介して検出する電気信号検出手段を備え、
前記判断手段は、前記電気信号検出手段により前記電気信号を検出した場合に、前記子機を保持して通話している利用者から前記操作情報を取得したと判断することを特徴とする請求項１に記載の通話端末装置。
【請求項３】
前記親機は、画像情報を表示する表示手段と、
利用者が前記表示手段に対して接触操作した位置の位置情報を検出する位置情報検出手段をさらに備え、
前記電気信号検出手段は、前記位置情報検出手段と重層して配置されていることを特徴とする請求項２に記載の通話端末装置。
【請求項４】
前記親機は、利用者の撮像情報を取得する撮像手段を備え、
前記判断手段は、前記撮像手段により取得した利用者の前記撮像情報に基づいて前記子機を保持している利用者かどうかを判断し、判断結果により前記子機を保持していると判断した場合、前記撮像情報の中の前記利用者の手の操作により前記操作情報を取得したかどうかを判断することを特徴とする請求項１に記載の通話端末装置。
【請求項５】
前記操作情報取得手段は、前記親機の前記通信手段の操作に関する操作情報として、他の通話端末装置と前記音声情報による通話を開始するための発着呼操作か、通話中の前記音声情報の音量を調節する音量調節操作か、通話を終了するための通話終了操作か、通話を一時保留または保留解除をするための保留操作のいずれかを含む前記操作情報として取得することを特徴とする請求項１乃至４のいずれかに記載の通話端末装置。
【請求項６】
前記実行手段は、前記判断手段により前記子機を保持していない利用者から前記通信手段の操作に関する前記操作情報を取得したと判断した場合は、取得した前記操作情報に対応付けられている前記操作制御を実行せず、
前記判断手段により前記子機を保持していない利用者から前記通信手段以外の操作に関する前記操作情報を取得したと判断した場合は、取得した前記操作情報に対応付けられている前記操作制御を実行することを特徴とする請求項１乃至５のいずれかに記載の通話端末装置。
【請求項７】
通信回線を介して通話相手装置と音声情報を送受信する通信手段を備えた親機と、
前記親機との間で前記音声情報および制御情報を無線で送受信する無線送受信手段を備えた子機と、を備えた通話端末装置にて処理する通話制御方法に於いて、
前記親機の前記通信手段の操作に関する操作情報、または前記通信手段以外の操作に関する操作情報の入力を取得する操作情報取得ステップと、
前記操作情報取得ステップにより前記操作情報を取得したと判断した場合、前記子機を保持して前記親機を介して他の通話端末装置と通話している利用者から前記操作情報を取得したかどうかを判断する判断ステップと、
前記判断ステップにより前記子機を保持して通話している利用者から前記通信手段に関する前記操作情報を取得したと判断した場合、取得した前記操作情報に対応付けられている操作制御を実行する実行ステップと、
を備えることを特徴とする通話制御方法。
【請求項８】
通信回線を介して通話相手装置と音声情報を送受信する通信手段を備えた親機と、
前記親機との間で前記音声情報および制御情報を無線で送受信する無線送受信手段を備えた子機と、を備えた通話端末装置を実行させる通話制御プログラムに於いて、
前記親機の前記通信手段の操作に関する操作情報、または前記通信手段以外の操作に関する操作情報の入力を取得する操作情報取得ステップと、
前記操作情報取得ステップにより前記操作情報を取得したと判断した場合、前記子機を保持して前記親機を介して他の通話端末装置と通話している利用者から前記操作情報を取得したかどうかを判断する判断ステップと、
前記判断ステップにより前記子機を保持して通話している利用者から前記通信手段に関する前記操作情報を取得したと判断した場合、取得した前記操作情報に対応付けられている操作制御を実行する実行ステップを前記通話端末装置に実行させることを特徴とする通話制御プログラム。  
【発明の詳細な説明】
【技術分野】
【０００１】
本発明は、子機で通話する利用者のみに親機の通話に関する操作を可能にする通話端末装置、通話制御方法、通話制御プログラムに関する。
【背景技術】
【０００２】
従来、一般的な電話機では、利用者が他の電話機と電話回線を介して音声による通話を行う為の通信機能を備えた親機と、親機と無線で音声の送受信を行うことで、親機と離れた位置でも利用者が通話をすることができる子機を備えているものがある。また、電話機の通話に関する各種操作の操作性を向上させる為に、親機と子機の間の距離を検出して、その距離に基づいて親機の操作を有効にするのか、制限するのかを制御することができる電話機も開示されている。（特許文献１）
【先行技術文献】
【特許文献】
【０００３】
【特許文献１】特開平５−３２７８３３号公報
【発明の概要】
【発明が解決しようとする課題】
【０００４】
しかしながら、上記に記載の電話機では、親機と子機の間の距離にのみ基づいて親機の操作を有効にするかどうかを判断しているので、子機を保持して通話中の利用者からの操作かどうかまで確実に判断することができない。よって、子機を保持している通話利用者が親機との距離が近くに居る場合でも、他者によって親機への通話に関する操作を入力されてしまうと、親機は子機を保持した通話利用者からの操作と判断して、入力された操作を有効にしてしまい、通話利用者の通話に支障をきたすという課題がある。
【０００５】
そこで本発明は、特定子機を保持して通話する利用者のみに特定親機の通話に関する操作を可能にする通話端末装置を提供することを目的とする。
【課題を解決するための手段】
【０００６】
上記目的を達成するために、請求項１に記載の通話端末装置では、通信回線を介して通話相手装置と音声情報を送受信する通信手段を備えた親機と、前記親機との間で前記音声情報および制御情報を無線で送受信する無線送受信手段を備えた子機と、を備えた通話端末装置に於いて、前記親機は、前記親機の前記通信手段の操作に関する操作情報、または前記通信手段以外の操作に関する操作情報の入力を取得する操作情報取得手段と、前記操作情報取得手段により前記操作情報を取得したと判断した場合、前記子機を保持して前記親機を介して他の通話端末装置と通話している利用者から前記操作情報を取得したかどうかを判断する判断手段と、前記判断手段により前記子機を保持して通話している利用者から前記通信手段の操作に関する前記操作情報を取得したと判断した場合、取得した前記操作情報に対応付けられている操作制御を実行する実行手段とを備えることを特徴とする。
【０００７】
請求項２に記載の通話端末装置では、請求項１に記載の構成に加え、前記子機は、前記子機を保持した利用者の人体を介して電気信号を送信する電気信号送信手段を備え、前記親機は、前記電気信号送信手段により送信された前記電気信号を、前記子機を保持した利用者の人体を介して検出する電気信号検出手段を備え、前記判断手段は、前記電気信号検出手段により前記電気信号を検出した場合に、前記子機を保持して通話している利用者から前記操作情報を取得したと判断することを特徴とする。
【０００８】
請求項３に記載の通話端末装置では、請求項２に記載の構成に加え、前記親機は、画像情報を表示する表示手段と、利用者が前記表示手段に対して接触操作した位置の位置情報を検出する位置情報検出手段をさらに備え、前記電気信号検出手段は、前記位置情報検出手段と重層して配置されていることを特徴とする。
【０００９】
請求項４に記載の通話端末装置では、請求項１に記載の構成に加え、前記親機は、利用者の撮像画像を取得する撮像手段を備え、前記判断手段は、前記撮像手段により取得した利用者の前記撮像情報に基づいて前記子機を保持している利用者かどうかを判断し、判断結果により前記子機を保持していると判断した場合、前記撮像情報の中の前記利用者の手の操作により前記操作情報を取得したかどうかを判断することを特徴とする。
【００１０】
請求項５に記載の通話端末装置では、請求項１乃至４のいずれかに記載の構成に加え、前記操作情報取得手段は、前記親機の前記通信手段の操作に関する操作情報として、他の通話端末装置と前記音声情報による通話を開始するための発着呼操作か、通話中の前記音声情報の音量を調節する音量調節操作か、通話を終了するための通話終了操作か、通話を一時保留または保留解除をするための保留操作のいずれかを含む前記操作情報として取得することを特徴とする。
【００１１】
請求項６に記載の通話端末装置では、請求項１乃至５のいずれかに記載の構成に加え、前記実行手段は、前記判断手段により前記子機を保持していない利用者から前記通信手段の操作に関する前記操作情報を取得したと判断した場合は、取得した前記操作情報に対応付けられている前記操作制御を実行せず、前記判断手段により前記子機を保持していない利用者から前記通信手段以外の操作に関する前記操作情報を取得したと判断した場合は、取得した前記操作情報に対応付けられている前記操作制御を実行することを特徴とする。
【００１２】
請求項７に記載の通話制御方法では、通信回線を介して通話相手装置と音声情報を送受信する通信手段を備えた親機と、前記親機との間で前記音声情報および制御情報を無線で送受信する無線送受信手段を備えた子機と、を備えた通話端末装置にて処理する通話制御方法に於いて、前記親機の前記通信手段の操作に関する操作情報、または前記通信手段以外の操作に関する操作情報の入力を取得する操作情報取得ステップと、前記操作情報取得ステップにより前記操作情報を取得したと判断した場合、前記子機を保持して前記親機を介して他の通話端末装置と通話している利用者から前記操作情報を取得したかどうかを判断する判断ステップと、前記判断ステップにより前記子機を保持して通話している利用者から前記通信手段に関する前記操作情報を取得したと判断した場合、取得した前記操作情報に対応付けられている操作制御を実行する実行ステップとを備えることを特徴とする。
【００１３】
請求項８に記載の通話制御プログラムでは、通信回線を介して通話相手装置と音声情報を送受信する通信手段を備えた親機と、前記親機との間で前記音声情報および制御情報を無線で送受信する無線送受信手段を備えた子機と、を備えた通話端末装置を実行させる通話制御プログラムに於いて、前記親機の前記通信手段の操作に関する操作情報、または前記通信手段以外の操作に関する操作情報の入力を取得する操作情報取得ステップと、前記操作情報取得ステップにより前記操作情報を取得したと判断した場合、前記子機を保持して前記親機を介して他の通話端末装置と通話している利用者から前記操作情報を取得したかどうかを判断する判断ステップと、前記判断ステップにより前記子機を保持して通話している利用者から前記通信手段に関する前記操作情報を取得したと判断した場合、取得した前記操作情報に対応付けられている操作制御を実行する実行ステップを前記通話端末装置に実行させることを特徴とする通話制御プログラム。  
【発明の効果】
【００１４】
請求項１に記載の通話端末装置は、通信回線を介して通話相手装置と音声情報を送受信する親機と、親機との間で音声情報および制御情報を無線で送受信する子機を備える。親機は、親機の通信の操作に関する操作情報、または通信以外の操作に関する操作情報の入力を取得する。そして、操作情報を取得したと判断した場合、子機を保持して親機を介して他の通話端末装置と通話している利用者から操作情報を取得したかどうかを判断する。子機を保持して通話している利用者から通信の操作に関する操作情報を取得したと判断した場合、取得した操作情報に対応付けられている操作制御を実行する。よって、子機を保持して通話をしている利用者のみが、親機の通話に関する操作をすることができるようになる。したがって、通話をする利用者は、他者によって親機への通話に関する操作を入力されて、通話に支障をきたすという問題を防ぐことができる。
【００１５】
請求項２に記載の通話端末装置では、請求項１に記載の発明の効果に加え、子機は、子機を保持した利用者の人体を介して電気信号を送信する。そして親機は、送信された電気信号を、子機を保持した利用者の人体を介して電気信号検出手段にて検出する。電気信号を検出した場合に、子機を保持して通話している利用者から操作情報を取得したと判断する。よって、子機を保持して通話をする利用者は、人体を介して子機を保持している利用者であることを、親機により確実に判断させることができる。
【００１６】
請求項３に記載の通話端末装置では、請求項２に記載の発明の効果に加え、親機は、画像情報を表示する表示手段と、利用者が表示手段に対して接触操作した位置の位置情報を検出する位置情報検出手段をさらに備え、電気信号検出手段は、位置情報検出手段と重層して配置されている。よって、子機を保持して通話をする利用者は、人体を介して子機を保持している利用者であることを、親機の表示手段に対して行う接触操作と同時に確実に判断させることができる。
【００１７】
請求項４に記載の通話端末装置では、請求項１に記載の発明の効果に加え、親機は、利用者の撮像情報を取得する撮像手段を備え、撮像手段により取得した利用者の撮像情報に基づいて子機を保持している利用者かどうかを判断する。そして、判断結果により子機を保持していると判断した場合、撮像情報の中の利用者の手の操作により操作情報を取得したかどうかを判断する。よって、子機を保持して通話をする利用者のみが、親機の撮像手段で撮像された撮像情報の中の手の状態により、子機を保持している利用者であることを親機に、より確実に判断させることができる。
【００１８】
請求項５に記載の通話端末装置では、請求項１乃至４のいずれかに記載の発明の効果に加え、親機の通信の操作に関する操作情報として、他の通話端末装置と音声情報による通話を開始するための発着呼操作か、通話中の音声情報の音量を調節する音量調節操作か、通話を終了するための通話終了操作か、通話を一時保留または保留解除をするための保留操作のいずれかを含む操作情報として取得する。よって、子機を保持して通話をする利用者のみが、発着呼操作、音量調節操作、通話終了操作、保留操作を親機へ実行させることができる。
【００１９】
請求項６に記載の通話端末装置では、請求項１乃至５のいずれかに記載の発明の効果に加え、子機を保持していない利用者から通信の操作に関する操作情報を取得したと判断した場合は、取得した操作情報に対応付けられている操作制御を実行せず、子機を保持していない利用者から通信以外の操作に関する操作情報を取得したと判断した場合は、取得した操作情報に対応付けられている操作制御を実行する。よって、子機を保持して通話をする利用者のみが、親機の通話に関する操作をすることができ、子機を保持していない他者は、通話以外の操作は実行できるようになる。
【００２０】
請求項７に記載の通話制御方法では、通信回線を介して通話相手装置と音声情報を送受信する親機と、親機との間で音声情報および制御情報を無線で送受信する子機を備える通話端末装置に於いて、親機は、親機の通信の操作に関する操作情報、または通信以外の操作に関する操作情報の入力を取得する。そして、操作情報を取得したと判断した場合、子機を保持して親機を介して他の通話端末装置と通話している利用者から操作情報を取得したかどうかを判断する。子機を保持して通話している利用者から通信の操作に関する操作情報を取得したと判断した場合、取得した操作情報に対応付けられている操作制御を実行する。よって、子機を保持して通話をしている利用者のみが、親機の通話に関する操作をすることができるようになる。したがって、通話をする利用者は、他者によって親機への通話に関する操作を入力されて、通話に支障をきたすという問題を防ぐことができる。
【００２１】
請求項８に記載の通話制御プログラムでは、通信回線を介して通話相手装置と音声情報を送受信する親機と、親機との間で音声情報および制御情報を無線で送受信する子機を備える通話端末装置に於いて、親機は、親機の通信の操作に関する操作情報、または通信以外の操作に関する操作情報の入力を取得する。そして、操作情報を取得したと判断した場合、子機を保持して親機を介して他の通話端末装置と通話している利用者から操作情報を取得したかどうかを判断する。子機を保持して通話している利用者から通信の操作に関する操作情報を取得したと判断した場合、取得した操作情報に対応付けられている操作制御を実行する。よって、子機を保持して通話をしている利用者のみが、親機の通話に関する操作をすることができるようになる。したがって、通話をする利用者は、他者によって親機への通話に関する操作を入力されて、通話に支障をきたすという問題を防ぐことができる。
【図面の簡単な説明】
【００２２】
【図１】通話端末装置１の親機１０と子機３０の概略構成図である。
【図２】子機３０の側面図である。
【図３】通話端末装置１の電気的構成図である。
【図４】フラッシュＲＯＭ１０４の説明図である。
【図５】親機１０のＡ−Ａ断面図である。
【図６】図５の親機１０のＡ−Ａ断面図のＢ部拡大図である。
【図７】表示手段１２のメニュー画面説明図である。
【図８】表示手段１２の電話操作サブメニュー画面の説明図である。
【図９】表示手段１２の通話設定サブメニュー画面説明図である。
【図１０】親機１０で実行するメイン処理のフローチャート図である。
【図１１】利用者の操作状態説明図である。
【図１２】親機１０で実行する変形例のメイン処理２のフローチャート図である。
【図１３】子機保持者判定処理のフローチャート図である。
【発明を実施するための形態】
【００２３】
以下、本発明を具体化した通話端末装置の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００２４】
まず、図１〜図３を参照して、本実施形態の通話端末装置１の外観図、及び電気的構成について説明する。
【００２５】
図１を参照して、本実施形態の通話端末装置１について説明する。通話端末装置１は、親機１０と子機３０で構成されている。親機１０は、一般的な材質である樹脂やアルミ等の材質で形成された矩形状の筐体１３に、各種操作を受け付ける為のアイコン画像や、写真画像等を表示する為の表示手段１２が備えられている。また、表示手段１２には、詳細な説明は後述するが、画像を表示する表示モニタ１１３と、利用者からのタッチ操作入力を検出する操作入力手段１１４と、子機から発信される電気信号を受信する電気信号受信手段１１５が層状に重ねて配置されている。
【００２６】
また、親機１０の上部には、利用者を撮影する撮像手段１１６が備えられている。撮像手段１１６は、利用者の撮像情報を生成するための汎用的なデジタルカメラ機器である。また、親機１０の下部には、マイク１１１と、その左右にスピーカ１１２が配置されている。マイク１１１は、利用者が親機１０を用いて通話をする場合に、利用者の音声を音声情報として取得する機器である。スピーカ１１２は、音楽情報を再生する時に音楽情報を出力したり、利用者が親機１０を用いて通話をする時に通話相手の音声を出力する機器である。
【００２７】
子機３０は、一般的な材質である樹脂やアルミ等の材質で形成された矩形状の筐体３００の上部にスピーカ３０４が配置されている。スピーカ３０４は、利用者が子機３０を用いて通話をする時に、通話相手の音声を出力する機器である。子機３０の下部にはマイク３０３が配置されている。マイク３０３は、利用者が子機３０を用いて通話をする場合に、利用者の音声を音声情報として取得する機器である。また、子機３０の略中央には、子機操作入力手段３０５が配置されている。子機操作入力手段３０５は、利用者が子機３０を用いて電話を掛ける時に、通話する相手の電話番号を入力するためのプッシュボタン機器や、相手からの電話を着呼する時に操作するためプッシュボタン機器や、子機３０の電源をオンオフするためのプッシュボタン機器等である。説明便宜上、上記各種機能のプッシュボタン機器を総称して子機操作入力手段３０５とする。また、子機３０の底部には、詳細な説明は後述するが、基準電極部３０７が配置されている。
【００２８】
図２には、子機３０を側面から視た側面図を示す。上述した子機操作入力手段３０５の反対側となる子機背面側には、電気信号送信手段３０６が配置されている。詳細な説明は後述するが、電気信号送信手段３０６は、利用者が子機３０を保持しながら通話する時に、利用者の手と接触するように筐体３００から露出して配置されており、利用者の人体を介して、親機１０へ電気信号を送信するための人体通信機器である。
【００２９】
次に図３を参照しながら、通話端末装置１の電気的構成について説明する。本実施形態の通話端末装置１の親機１０は、図３に示すように、ＣＰＵ１０１、ＲＯＭ１０２、ＲＡＭ１０３、フラッシュＲＯＭ１０４と、マイク１１１、スピーカ１１２、表示手段１２を構成する表示モニタ１１３、操作入力手段１１４、電気信号受信手段１１５と、撮像手段１１６、子機通信手段１４０、通信手段１５０を備えており、これらはすべてバスで相互に接続されている。
【００３０】
ＣＰＵ１０１は、親機１０全体の制御を司る。ＲＯＭ１０２は、親機１０の基本的な動作に必要なプログラムやそのための設定値等を記憶している。ＣＰＵ１０１は、ＲＯＭ１０２に記憶されたプログラムに従って、親機１０の動作を制御する。ＲＡＭ１０３は、各種データを一時的に記憶するための記憶装置である。また、フラッシュＲＯＭ１０４は、不揮発性の半導体メモリであり、各種記憶エリアを備えている。
【００３１】
ここで図４を参照して、フラッシュＲＯＭ１０４の構成について説明する。フラッシュＲＯＭ１０４は、操作情報記憶エリア２４１と、特徴画像情報記憶エリア２４２、画像情報記憶エリア２４３、音楽情報記憶エリア２４４等を含む各種記憶エリアで構成されている。操作情報記憶エリア２４１には、詳細な説明は後述するが、利用者から親機１０の各機能の操作を受付けるため、表示手段１２へ表示するアイコン画像情報や、アイコン画像情報に対応する各機能の設定情報等が記憶されている。特徴画像情報記憶エリア２４２には、具体的な内容は後述するが、撮像手段１１６により取得した撮像情報に基づいて、利用者が子機３０を保持しているかどうかを解析して判別するための、子機３０の特徴画像情報等が記憶されている。画像情報記憶エリア２４３には、親機１０が他機器から取得した写真データなどの画像情報が記憶されている。画像情報とは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）等のファイル形式で記憶されたデータを示す。これらの画像情報は、利用者が親機１０を操作して写真再生の機能等を作動させると、表示手段１２へ表示再生される。また、音楽情報記憶エリア２４４には、親機１０が他機器から取得した音楽情報が記憶されている。音楽情報とは、ＭＰ３等のファイル形式で記憶されたデータである。音楽情報は、利用者が親機１０を操作して音楽再生の機能等を作動させると、スピーカ１１２から音楽として出力される情報である。
【００３２】
マイク１１１は、利用者が親機１０を用いて通話をする場合に、利用者の音声を音声情報として取得する機器である。スピーカ１１２は、音楽情報を再生する時に音楽情報を出力したり、利用者が親機１０を用いて通話をする時に通話相手の音声を出力する機器である。表示手段１２は、利用者が親機１０の各種操作を行うための操作画面や、他機器から取得した画像データ等を表示する表示モニタ１１３と、前記の表示モニタ１１３に重ねて配置された汎用的なタッチパネル機器である操作入力手段１１４と、子機３０から送信される電気信号を利用者の人体を介して受信する電気信号受信手段１１５で構成されている。利用者が表示手段１２を参照しながらタッチ入力すると、操作入力手段１１４はタッチ入力された位置情報を取得することができる。また、電気信号受信手段１１５は、詳細な説明は後述する。
【００３３】
ここで、図５〜６を参照にしながら、表示手段１２の構成について詳細に説明をする。図５は、図１に示す親機１０のＡ−Ａ断面図である。親機１０は、机等の水平面に設置した時に、筐体１３が図示するような所定角度の姿勢で維持できるように、表示手段１２の反対側である背面に支持部材４１が設けられている。支持部材４１は、図示はしないが筐体１３との接続部に、回転軸を備えた回動機構が設けられており、筐体１３に対して角度を可変できるようになっている。よって、支持部材４１の角度を調節することで筐体１３の設置する角度を調節できるようになっている。
【００３４】
また、表示手段１２は、筐体１３の切り欠き部から表出するように配置されている。ここで、図６を参照しながら表示手段１２の構成について詳細に説明をする。図６は、図５のＢ部を拡大した図である。図６に示すように、最上層から順に、電気信号受信手段１１５、操作入力手段１１４、表示モニタ１１３が層状に重ねて構成されている。上記各層間は、相対的にずれないように接着されていても良いし、蒸着法やペースト法等で層を生成するようにしても良い。電気信号受信手段１１５は、例えばＩＴＯなどの汎用的な透明な導電体膜で構成されている。また、導電体膜には、導体を保護するための保護膜が最外層に成膜されていても良い。上記構成により電気信号受信手段１１５は、利用者が表示手段１２に対してタッチ入力操作する際に、利用者の人体の接触部から電気信号を検出できるようになっている。
【００３５】
電気信号受信手段１１５の下層には、操作入力手段１１４が重ねて配置されている。操作入力手段１１４は、汎用的なタッチパネル機器である。本実施形態では、抵抗膜型のタッチパネル機器を採用しているものとし、利用者によるタッチ入力操作の際の表面変形を電圧に変換し、表示画面領域内でのタッチ入力された位置情報を座標情報として取得するようになっている。また、操作入力手段１１４の下層には、表示モニタ１１３が重ねて配置されている。表示モニタ１１３は、例えば液晶表示装置や有機ＥＬディスプレイなどの汎用的な表示機器である。表示モニタ１１３は、入力信号に従って画像情報や文字情報等を表示画面に表示する機器であり、利用者が親機１０の各種操作を行うためのアイコン等を表示するメニュー画面や、親機１０に記憶されている写真データ等の画像情報を表示することができる。
【００３６】
図５の親機１０のＡ−Ａ断面図の説明に戻り、親機１０は、筐体１３の内部に、メイン基板４０を備える。メイン基板４０は、詳細な説明は省略するが、各種電気機器部品を搭載し、また親機１０の各機器と電気的に接続されている基板部品である。また図５に示すように、メイン基板４０と表示手段１２の電気信号受信手段１１５とは、接続線４２で電気的に接続されており、また基板４０と操作入力手段１１４とは、接続線４３で電気的に接続されている。また、メイン基板４０と表示モニタ１１３とは、接続線４４で電気的に接続されていることを示している。また、親機１０は、メイン基板４０と接続線４５で電気的に接続されている基準電極部４６を備える。基準電極部４６は、装置内の基準電位となる電極部であり、通常装置内のグラウンドと接続されている。よって、電気信号受信手段１１５は、基準電極部４６との電位差に基づいて、電気信号を検出するようになっている。
【００３７】
図３の説明に戻り、撮像手段１１６は、利用者を撮像して、撮像情報を生成するための汎用的なデジタルカメラ機器である。本実施形態では、撮像手段１１６は、親機１０の正面で操作する利用者の頭部から上腕部を含む略上半身範囲の撮像情報が取得できるような撮影範囲に設定されているものとする。
【００３８】
親機１０の子機通信手段１４０は、従来のコードレス電話機の親機と子機間で使用されているＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）規格に準じた無線通信ができる通信機器である。子機通信手段１４０を介して、利用者は、子機３０を介して通話相手と通話ができるようになる。また、通信手段１５０は、汎用的な電話機器等の通信に使用されている公衆電話回線と接続通信できる通信機器である。
【００３９】
続いて、子機３０の電気的構成の説明をする。本実施形態の子機３０は、図３に示すように、ＣＰＵ３０１、ＲＯＭ３０２、ＲＡＭ３０７、マイク３０３、スピーカ３０４、子機操作入力手段３０５、電気信号送信手段３０６、子機通信手段３４０を備えており、これらはすべてバスで相互に接続されている。ＣＰＵ３０１は、子機３０全体の制御を司る。ＲＯＭ３０２は、子機３０の基本的な動作に必要なプログラムやそのための設定値等を記憶している。ＣＰＵ３０１は、ＲＯＭ３０２に記憶されたプログラムに従って、子機３０の動作を制御する。ＲＡＭ３０７は、各種データを一時的に記憶するための記憶装置である。
【００４０】
スピーカ３０４は、利用者が子機３０を用いて通話をする時に、通話相手の音声を出力する機器である。マイク３０３は、利用者が子機３０を用いて通話をする場合に、利用者の音声を音声情報として取得する機器である。子機操作入力手段３０５は、利用者が子機３０を用いて電話を掛ける時に、通話する相手の電話番号を入力するためのプッシュボタン機器や、相手からの電話を着呼する時に操作するためプッシュボタン機器や、通話中に電話を切るためのプッシュボタンや、子機３０の電源をオンオフするためのプッシュボタン機器等で構成されている。
【００４１】
子機３０の子機通信手段３４０は、親機１０の子機通信手段１４０と同様の機器で、汎用的なコードレス電話機の親機と子機間で使用されているＤＥＣＴ規格に準じた無線通信ができる通信機器である。
【００４２】
電気信号送信手段３０６は、利用者が子機３０を保持しながら通話する時に、利用者の手と接触するように筐体３００の表面に露出するように配置されており、利用者の人体を介して、親機１０へ電気信号を送信する人体通信を行うための人体通信機器である。ここでの人体通信技術には、例えば、従来から電流方式や、電界方式等の方法が考案されているが、本実施形態の場合は、電界方式を用いるのが望ましいが、これに限るものではない。また、電気信号送信手段３０６の筐体３００から露出している部分は、導電性の材質で構成されており、子機操作入力手段３０５の反対側となる子機３０の背面側に配置されている。また、電気信号送信手段３０６は、基準電極部３０７に対して、人体を介して電気信号受信手段１１５との電気的結合が強くなるように配置されている。よって、電気信号送信手段３０６と基準電極部３０７の間に電位差を発生させることで、人体を介して電気信号を送信することができるようになっている。また、上記記載では電気信号送信手段３０６は、筐体３００から露出していると記載したが、これに限るものではなく、筐体３００の内部に配置される場合でも利用者の手と電気的結合が可能な状態になるよう配置するようにしても良い。よって、利用者が子機３０を保持して親機１０を介して他の通話端末装置と通話する際に、電気信号送信手段３０６は、利用者の手と当接し、電気信号を利用者の人体へ送信することができるようになっている。ここでの電気信号は、例えば、交流で５〜１０ＭHz等の周波数で、電圧は２〜４Ｖ程度、電流は約５００μＡ以下で送信するようになっているものとするが、これに限るものではない。
【００４３】
次に、図７〜９を参照し、本実施形態の親機１０に搭載されている各種機能を操作するメニュー画面について説明をする。図７は、親機１０の表示手段１２に表示されているメニュー画面である。本実施形態でのメニュー画面では、本体設定アイコン５０１、電話アイコン５０２、写真アイコン５０３、音楽アイコン５０４が表示されている。本体設定アイコン５０１をタッチ入力すると、図示はしないが例えば、親機１０の時計機能の日時設定、表示手段１２の明るさ設定、省電力モード設定等の各種設定を行うためサブメニュー画面に切り替わり、利用者は各種本体設定ができるようになる。また、上記本体設定の種類は、これに限るものではない。写真アイコン５０３は、親機１０の画像情報記憶エリア２４３に記憶されている画像情報の操作を設定するためのアイコンである。具体的には、利用者が写真アイコン５０３をタッチ入力すると、図示はしないがサブメニュー画面に切り替わり、写真データ等の画像情報を表示手段１２へスライドショー再生するための条件設定や、画像情報を編集加工するための設定等ができるようになっている。また、音楽アイコン５０４は、親機１０の音楽情報記憶エリア２４４に記憶されている音楽情報の操作を設定するためのアイコンである。具体的には、利用者が音楽アイコン５０４をタッチ入力すると、図示はしないがサブメニュー画面に切り替わり、音楽情報をスピーカ１１２から再生するための各種条件設定ができるようになっている。
【００４４】
次に、電話アイコン５０２は、親機１０の電話機能に関する設定を行うためのアイコンである。利用者が、電話アイコン５０２をタッチ入力すると、図８に示すようなサブメニュー画面に切り替わる。図８に示すサブメニュー画面では、戻るアイコン５０５、電話番号表示領域５０６、電話帳アイコン５０７、通話設定アイコン５０８、発呼アイコン５０９が表示されている。戻るアイコン５０５は、図７に示すメニュー画面に戻るためのアイコンである。電話番号表示領域５０６は、利用者が通話をしようとする際に、子機３０の子機操作入力手段３０５をプッシュ操作して入力した通話相手の電話番号が表示される領域である。電話帳アイコン５０７は、利用者が親機１０に登録している複数の通話相手の電話番号リストに関する設定を行うためのアイコンである。利用者が電話帳アイコン５０７をタッチ入力すると、図示はしないが、電話番号リストが表示され、通話する相手を選定したり、電話番号を追加、削除する等の各種設定ができるようになっている。発呼アイコン５０９は、利用者が電話番号表示領域５０６に表示されている電話番号に対して、発呼するためのアイコンである。利用者が発呼アイコン５０９をタッチ入力すると、電話番号表示領域５０６に表示されている電話番号に電話を掛けることができる。そして、通話相手が電話を着呼すると、利用者は通話相手と電話回線２０を介して音声通話ができるようになる。
【００４５】
通話設定アイコン５０８は、通話に関する各種条件を設定するためのアイコンである。利用者が通話設定アイコン５０８をタッチ入力すると、図９に示す様に、通話設定に関するサブメニュー画面に切り替わる。図９のサブメニュー画面では、戻るアイコン５１０、録音アイコン５１１、保留アイコン５１２、音量小アイコン５１３、音量大アイコン５１４、音程低アイコン５１５、音程高アイコン５１６が表示されている。戻るアイコン５１０は、図８に示すサブメニュー画面に戻るためのアイコンである。録音アイコン５１１は、通話中の会話を録音するためのアイコンである。利用者が、通話中に録音アイコン５１１をタッチ入力すると、通話中の会話を音声情報として記憶することができる。ここでの音声情報の記憶方法は、従来の汎用的な電話機に搭載されている録音機能と同等の機能であるので、詳細な説明は省略する。保留アイコン５１２は、通話中に通話相手を一時待機させる為のアイコンである。利用者は、通話相手と通話中に保留アイコン５１２をタッチ入力すると、予め設定されている保留音を通話相手に送信し、保留状態にすることができる。ここでの保留状態にする方法は、従来の汎用的な電話機に搭載されている保留機能と同等の機能であるので、詳細な説明は省略する。
【００４６】
次に、音量小アイコン５１３、音量大アイコン５１４は、通話中の通話相手の音声情報の音量を調節するためのアイコンである。利用者が通話中に、通話相手の音声情報の音量を小さくしたい場合は、音量小アイコン５１３をタッチ入力し、また音量を大きくしたい場合は、音量大アイコン５１４をタッチ入力することで、所望の音量に調節することができる。また、音量レベルメータ５１７が、設定されている音量のレベルが確認できるように表示されている。また、音程低アイコン５１５、音程高アイコン５１６は、通話中の通話相手の音声情報の音程を調節するためのアイコンである。利用者が通話中に、通話相手の音声情報の音程を低くしたい場合は、音程低アイコン５１５をタッチ入力し、また音程を高くしたい場合は、音程高アイコン５１６をタッチ入力することで、所望の音程に調節することができる。また、音程レベルメータ５１８が、設定されている音程のレベルが確認できるように表示されている。上記の説明では、利用者が各種アイコンをタッチ入力することで、各アイコンに対応する親機１０の機能を設定することができるように説明をしたが、後述する親機１０の処理により、利用者が通話中での通話に関する機能の設定は、所定条件を満たす利用者にしか設定できないようになっている。
【００４７】
以下に、図１０〜１１を参照しながら、本実施形態の親機１０で実行されるメイン処理について説明をする。図１０に示すメイン処理は、親機１０のＲＯＭ１０２に記憶されたプログラムに従って、ＣＰＵ１０１が実行する処理である。
【００４８】
図１０に示すメイン処理は、親機１０の電源がＯＮにされると開始される。まず初めに、ＣＰＵ１０１は、発呼、または着呼指示があったかどうかを判断する（Ｓ４００）。ステップＳ４００の処理では、具体的には、利用者が親機１０の発呼アイコン５０９をタッチ入力したか、または、子機３０の子機操作入力手段を操作して発呼、または着呼する指示の操作をしたかどうかを判断する。ステップＳ４００の処理で、ＣＰＵ１０１は、発呼、着呼指示が無いと判断した場合（Ｓ４００：ＮＯ）、再度ステップＳ４００の処理を繰り返し実行する。
【００４９】
ステップＳ４００の処理で、ＣＰＵ１０１は、発呼、着呼指示が有ったと判断した場合（Ｓ４００：ＹＥＳ）、通話開始処理を実行する（Ｓ４０１）。ステップＳ４０１の処理では、利用者と、発呼、または着呼の相手である通話相手とが、子機３０のマイク３０３や、スピーカ３０４を用いて音声による通話ができる状態となる。具体的には、利用者の音声を音声情報として子機３０のマイク３０３から取得し、子機通信手段３４０、親機１０の子機通信手段１４０、通信手段１５０から電話回線２０を介して、取得した音声情報を通話相手の通話端末装置へ送信する。また、通話相手の音声情報を電話回線２０から親機１０の通信手段１５０で受信し、子機通信手段１４０から子機３０の子機通信手段３４０へ送信され、スピーカ３０４から通話相手の音声情報が出力される状態となる。
【００５０】
次に、ステップＳ４０１の処理の後、ＣＰＵ１０１は、タッチ操作が有ったかどうかを判断する（Ｓ４０２）。具体的には、ステップＳ４０２の処理では、利用者が通話中の状態で、親機１０の表示手段１２に対してタッチ入力操作があったかどうかを、操作入力手段１１４の接触検出結果に基づいて判断している。そして、ステップＳ４０２の処理で、ＣＰＵ１０１が、タッチ操作があったと判断した場合（Ｓ４０２：ＹＥＳ）、次に、通話に関する操作かどうかを判断する（Ｓ４０３）。ここでの通話に関する操作とは、例えば図８に示すサブメニュー画面の通話設定アイコン５０２や、図８のサブメニュー画面内の各設定アイコンに対して、利用者がタッチ入力する操作のことである。ステップＳ４０３の処理で、ＣＰＵ１０１は、通話に関する操作でないと判断した場合（Ｓ４０３：ＮＯ）、タッチ入力された通話以外の操作に対応する処理を実行する（Ｓ４０７）。ステップＳ４０７の処理では、具体的には、ステップＳ４０３の処理で通話以外の操作として、例えば図７のメニュー画面の本体設定アイコン５０１や、写真アイコン５０３や、音楽アイコン５０４等をタッチ入力されたと判断した後、タッチ入力されたアイコンに対応する操作を実行する。
【００５１】
ステップＳ４０３の処理で、ＣＰＵ１０１は、通話に関する操作であると判断した場合（Ｓ４０３：ＹＥＳ）、次に電気信号を検知したかどうかを判断する（Ｓ４０４）。ここで、図１１を参照しながら、ステップＳ４０４の処理について詳細に説明をする。
【００５２】
図１１は、利用者７０が子機３０を手で保持して通話しながら、机上に設置してある親機１０の表示手段１２へタッチ入力をしている状態である。ステップＳ４０１の処理で通話開始状態となってから、子機３０の電気信号送信手段３０６から所定の電気信号が、所定間隔（例えば、２０ｍＳ間隔）で送信されるようになっている。よって、子機３０の背面に配置されている電気信号送信手段３０６（図２参照）が、利用者７０の手に接触している状態となっているので、電気信号が利用者７０の人体に伝達される。そして、利用者７０が親機１０の表示手段１２へタッチ入力をすると、子機３０の電気信号送信手段３０６から送信された電気信号が、タッチ入力した利用者７０の手を介して、親機１０の電気信号受信手段１１５へ伝達される。ステップＳ４０４の処理では、ＣＰＵ１０１が、電気信号受信手段１１５によって、電気信号を検出したかどうかを判断する。ここで電気信号を検出する際に、子機３０の電気信号送信手段３０６から送信された電気信号かどうかを判定する為に、またノイズ信号等を除去する為に、例えば、検出した電気信号が、子機３０で設定されている所定の周波数かどうか、または所定の電圧値以上かどうかの閾値を設けて、その閾値と比較することで判定するようにすれば良い。
【００５３】
ステップＳ４０４の処理で、ＣＰＵ１０１は、電気信号を検知したと判断した場合（Ｓ４０４：ＹＥＳ）、次に、ステップＳ４０２の処理でタッチ入力された通話に関する操作に対応した処理を実行する（Ｓ４０５）。ステップＳ４０５の処理では、利用者が通話中に、図８に示すサブメニュー画面の通話設定５０８をタッチ入力し、図９に示すサブメニュー画面内の各機能のアイコンから選択してタッチ入力した場合、親機１０はタッチ入力されたアイコンに対応する機能の処理を実行する。例えば、利用者が録音アイコン５１１をタッチ入力した場合、親機１０のＣＰＵ１０１は、利用者と通話相手の音声情報を記憶する処理を実行する。また、保留アイコン５１２をタッチ入力した場合、通話相手に通話を待機させるための保留音が通話相手の通話端末装置へ送信される処理を実行する。また、音量小アイコン５１３か、または音量大アイコン５１４をタッチ入力された場合は、通話中の通話相手の音声情報の音量を調節する処理を実行する。また、音程低アイコン５１５か、または音程高アイコン５１６をタッチ入力された場合は、通話相手の音声情報の音程を調節する処理を実行する。したがって、子機３０を保持して通話している利用者は、上記に記載したような通話に関する各種設定を、通話中に操作することができる。
【００５４】
また、ステップＳ４０４の処理で、ＣＰＵ１０１は、子機３０からの電気信号を検知していないと判断した場合（Ｓ４０４：ＮＯ）、エラー表示を実行する（Ｓ４０６）。ステップＳ４０６の処理では、具体的には、通話に関する機能のアイコンをタッチ入力した利用者の手から電気信号を検出しなかった場合なので、タッチ入力をした利用者は子機３０を保持して通話している利用者以外の他者であると判断し、タッチ入力されたアイコンに対応する機能を不実行にする。そして、前記他者によってタッチ入力された通話に関する機能のアイコンが無効である旨を示すエラー表示を、表示手段１２へ表示する。
【００５５】
上述したステップＳ４０５か、ステップＳ４０６か、またはステップＳ４０７の処理の後、ＣＰＵ１０１は、通話終了指示があるかどうかを判断する（Ｓ４０８）。ステップＳ４０８の処理は、具体的には、子機３０を保持して通話中の利用者が、例えば子機操作入力手段３０５に含まれる通話を切るためのプッシュボタンを押下したかどうかを検知することで判断する。または、図８に示す発呼アイコン５０９が、通話中の時は通話を切断するための図示しない切断アイコンに変更して表示されるようにすれば、親機１０の前記切断アイコンを利用者がタッチ入力したかどうかで、判断することもできる。ステップＳ４０８の処理で、ＣＰＵ１０１は、通話終了指示が無いと判断した場合（Ｓ４０８：ＮＯ）、ステップＳ４０２の処理へ戻り、以後の処理を繰り返し実行する。また、ステップＳ４０８の処理で、ＣＰＵ１０１は、通話終了指示が有ったと判断した場合（Ｓ４０８：ＹＥＳ）、本処理を終了する。
【００５６】
よって、上記に記載したメイン処理を実行することにより、子機３０を保持して通話をする利用者のみが、親機１０の通話に関する操作をすることができるようになる。したがって、通話をする利用者は、他者によって親機１０への通話に関する操作を入力されて、通話に支障をきたすという問題を防ぐことができる。
【００５７】
以下に、図１２を参照しながら、本実施形態の変形例として、親機１０で実行されるメイン処理２について説明をする。図１２に示すメイン処理２は、親機１０のＲＯＭ１０２に記憶されたプログラムに従って、ＣＰＵ１０１が実行する処理である。
【００５８】
図１２に示すメイン処理２は、親機１０の電源がＯＮにされると開始される。ただ、ステップＳ６００〜Ｓ６０３の処理は、図１０で説明したメイン処理のステップＳ４００〜Ｓ４０３と同様の処理なので、説明は省略する。そしてステップＳ６０３の処理で、ＣＰＵ１０１がＹＥＳと判断した場合（Ｓ６０３：ＹＥＳ）、子機保持者判定処理を実行する（Ｓ６０４）。
【００５９】
そこで、図１３を参照しながら子機保持者判定処理について説明をする。まず初めに、ＣＰＵ１０１は、撮像情報を取得する処理を実行する（Ｓ７０１）。具体的には、親機１０の撮像手段１１６を駆動させ、親機１０を操作している利用者の撮像情報を取得する処理を実行する。次に、ＣＰＵ１０１は、ステップＳ７０１の処理で取得した撮像情報から、人の顔を検出できるかどうかを判断する（Ｓ７０２）。ステップＳ７０２の処理での顔検出処理は、従来より提案されている技術を用いるものとする。例えば、一例を挙げると、取得した撮像情報から色分布情報や輝度情報等に基づいて輪郭情報を抽出し、抽出した輪郭情報と、予め特徴画像情報記憶エリア２４２に登録して記憶されている人の目、鼻、口の形に対応した特徴画像とを、パターンマッチング法等で照合する手法を用いればよい。
【００６０】
そして、ステップＳ７０２の処理で、ＣＰＵ１０１は、顔検出ができなかったと判断した場合（Ｓ７０２：ＮＯ）、ステップＳ６０２（図１２）の操作は子機保持者の操作ではないという判定をＲＡＭ１０３へ記憶する（Ｓ７０６）。また、ステップＳ７０２の処理で、ＣＰＵ１０１は、顔検出したと判断した場合（Ｓ７０２：ＹＥＳ）、次に、子機画像を検出したかどうかを判断する（Ｓ７０３）。具体的には、ステップＳ７０２の顔検出処理と同様の従来手法を用いて、取得した撮像情報から色分布情報や輝度情報等に基づいて抽出した輪郭情報と、予め特徴画像情報記憶エリア２４２に登録している子機３０の形状や色に対応した特徴画像情報とを、パターンマッチング法等で照合する。そして、ステップＳ７０３の処理で、ＣＰＵ１０１は、子機画像情報を検出しないと判断した場合（Ｓ７０３：ＮＯ）、上述したステップＳ７０６の処理へ移行する。
【００６１】
また、ステップＳ７０３の処理で、ＣＰＵ１０１は、子機画像情報を検出したと判断した場合（Ｓ７０３：ＹＥＳ）、次に、ステップＳ６０２（図１２）の処理でタッチ入力した手は、子機保持者の手かどうかを判断する（Ｓ７０４）。ステップＳ７０４の処理は、具体的には、ステップＳ７０２の処理にて撮像情報から抽出された輪郭情報に基づいて、検出された顔画像情報が含まれる人体形状の輪郭情報を検出し、検出された人体形状の輪郭情報が、親機１０の表示手段１２へタッチ入力している形状であるかどうかを判断する。ここでの判断は、予め特徴画像情報記憶エリア２４２へ、図１１に示す様な親機１０の表示手段１２へ手でタッチ入力している状態の人体形状の特徴画像情報を登録して記憶しておき、撮像手段１１６で取得した撮像情報から抽出した人体形状の輪郭情報と、パターンマッチング法等で照合して判断するようにすれば良い。
【００６２】
そして、ステップＳ７０４の処理で、ＣＰＵ１０１は、タッチした手は子機保持者の手でないと判断した場合（Ｓ７０４：ＮＯ）、上述したステップＳ７０６の処理へ移行する。また、ステップＳ７０４の処理で、ＣＰＵ１０１は、タッチした手は子機保持者の手であると判断した場合（Ｓ７０４：ＹＥＳ）、ステップＳ６０２（図１２）の処理での操作は、子機保持者の操作であるという判定をＲＡＭ１０３へ記憶する（Ｓ７０５）。そして、ステップＳ７０５、またはステップＳ７０６の処理の後、本処理を終了する。
【００６３】
図１２の説明に戻り、ステップＳ６０４の処理の後、次にＣＰＵ１０１は、子機保持者の操作かどうかを判断する（Ｓ６０５）。ステップＳ６０５の処理では、ステップＳ６０４の処理で判定された判定結果を、ＲＡＭ１０３から取得し、子機保持者の操作かどうかを判断する。ステップＳ６０５の処理で、ＣＰＵ１０１は、子機保持者の操作でないと判断した場合（Ｓ６０５：ＮＯ）、つまりＳ７０６（図１３）の処理が実行されたと判断した場合、エラー表示処理を実行する（Ｓ６０７）。また、ステップＳ６０５の処理で、ＣＰＵ１０１は、子機保持者の操作であると判断した場合（Ｓ６０５：ＹＥＳ）、つまりＳ７０５の処理が実行されたと判断した場合、ステップＳ６０２の処理でタッチ入力された通話に関する操作を実行する（Ｓ６０６）。また、ステップＳ６０６の処理は、図１０のステップ４０５の処理と同様であり、ステップＳ６０７の処理は、図１０のステップ４０６の処理と同様なので、ここでの説明は省略する。また、ステップＳ６０８、Ｓ６０９の処理も、図１０のステップＳ４０７、Ｓ４０８の処理と、それぞれ同様の処理なので、ここでの説明は省略する。
【００６４】
よって、上記に記載したメイン処理２を実行することにより、利用者を撮像した撮像画像情報に基づいて、子機３０を保持して通話をする利用者を特定して、通話中は特定された利用者のみが親機１０の通話に関する操作をすることができるようになる。したがって、子機３０を保持して通話をする利用者は、他者によって親機１０への通話に関する操作を入力されて、通話に支障をきたすという問題を防ぐことができる。
【００６５】
なお、上述で説明した本実施形態に示される構成や処理は例示であり、各種の変形が可能なことはいうまでもない。例えば、本実施形態の親機１０に搭載されている機能として、図７〜９に示す様なメニュー画面やサブメニュー画面に表示されているアイコンに対応した機能で説明をしたが、これに限るものではない。例えば、その他の機能として、一般的な電話機に搭載されているような、留守録機能や、迷惑電話応対機能や、転送機能や、通話料金表示機能等を搭載するようにしても良い。
【００６６】
また、図１０のステップＳ４０６、図１２のステップＳ６０７の処理で、子機３０を保持して通話している利用者以外の他者から、通話に関する操作をされた場合、エラー表示をするように記載したが、これに限るものではない。例えば、エラー表示をせずに、操作された通話に関する機能を親機１０で不実行にするだけでもよい。
【符号の説明】
【００６７】
１０  親機
１２  表示手段
１３  筐体
１０４  フラッシュＲＯＭ
１１６  撮像手段  
１１１  マイク
１１２  スピーカ
１１３  表示モニタ
１１４  操作入力手段
１１５  電気信号受信手段
２０    電話回線
３０    子機
３００  筐体
３０３  マイク
３０４  スピーカ
３０５  子機操作入力手段  
３０６  電気信号送信手段
３０７  基準電極部
４０  メイン基板
４１  支持部材
４２  接続線
４３  接続線
４４  接続線
４５  接続線
４６  基準電極部
７０  利用者
【図１】
2011217047.tif 000003
【図２】
2011217047.tif 000004
【図３】
2011217047.tif 000005
【図４】
2011217047.tif 000006
【図５】
2011217047.tif 000007
【図６】
2011217047.tif 000008
【図７】
2011217047.tif 000009
【図８】
2011217047.tif 000010
【図９】
2011217047.tif 000011
【図１０】
2011217047.tif 000012
【図１１】
2011217047.tif 000013
【図１２】
2011217047.tif 000014
【図１３】
2011217047.tif 000015